(57)【要約】【課題】、２組のスイッチ素子のいずれかを選択的にオンさせる動作時にも塵が入ってこないスイッチ装置を提供する。【解決手段】側壁面６５に開口部６１、６２を有するケース６０と、ケース６０に水平移動可能に収納されたスライダ１０及びスライダ２０と、スライダ１０に駆動される第１スイッチ素子７１と、スライダ２０に駆動される第２スイッチ素子７２と、を備える。スライダ１０及びスライダ２０には、初期位置から離間位置までの全範囲において開口部６１、６２を覆った状態で側壁面６５に沿って移動する第１遮蔽部材１１及び第２遮蔽部材２１が設けられ、第１遮蔽部材１１が第１オーバーラップ部１２を有し、第２遮蔽部材２１が第２オーバーラップ部２２を有している。第１オーバーラップ部１２及び第２オーバーラップ部２２は、初期位置において側壁面６５に対して垂直な方向に微小ギャップを持って互いに重なり合う。【選択図】図７
2015173012.tif 000002
【特許請求の範囲】
【請求項１】
側壁面に開口部を有するケースと、
前記開口部から一部を外側へ突出させた状態で前記ケースに水平移動可能に収納された２個のスライダと、
２個の前記スライダを前記ケースのほぼ中央の初期位置にそれぞれ付勢する付勢手段と、
前記スライダが前記付勢手段に抗する方向へ移動した離間位置にあるときに駆動される２組のスイッチ素子と、
からなるスイッチ装置であって、
２個の前記スライダには、前記初期位置から前記離間位置までの全範囲において前記開口部を覆った状態で前記側壁面に沿って移動する第１遮蔽部材及び第２遮蔽部材が設けられ、
前記第１遮蔽部材が第１オーバーラップ部を有し、前記第２遮蔽部材が第２オーバーラップ部を有し、
前記第１オーバーラップ部及び前記第２オーバーラップ部は、前記初期位置において前記側壁面に対して垂直な方向に微小ギャップを持って互いに重なり合うことを特徴とするスイッチ装置。
【請求項２】
前記第１オーバーラップ部は、一方の面が前記側壁面に対して垂直な方向に前記側壁面と微小ギャップを持って重なるように配置されるとともに、他方の面が前記第２オーバーラップ部と対向し、
前記第２オーバーラップ部には、前記第１オーバーラップ部の下端よりもさらに下方に突出した突出部が延設されており、
前記突出部は、前記第１オーバーラップ部の前記下端の底面に沿って前記側壁面側に突出し、微小ギャップを介して前記側壁面と対向していることを特徴とする請求項１に記載のスイッチ装置。
【請求項３】
前記第１遮蔽部材及び前記第２遮蔽部材には、前記スライダに外部からの駆動力を伝達するための操作軸が一体に成形されていることを特徴とする請求項１又は請求項２に記載のスイッチ装置。
【請求項４】
前記ケース及び前記開口部が上方に開放され、
２個の前記スライダは、前記第１遮蔽部材及び前記第２遮蔽部材が前記側壁面の外方側から前記開口部を覆うように、前記ケース及び前記開口部に前記上方から挿入され、
前記ケースと前記第１遮蔽部材と前記第２遮蔽部材との間隙、並びに、前記ケース及び前記開口部を、少なくとも前記上方から覆うようにカバー部材が設けられていることを特徴とする請求項１乃至請求項３のいずれかに記載のスイッチ装置。
【発明の詳細な説明】
【技術分野】
【０００１】
本発明は、２組のスイッチ素子のいずれかを選択的にオンさせることができるスイッチ装置に関し、特に、例えば自動車の窓の開閉を制御するパワーウインドウ装置に使用されるスイッチ装置に関する。
【背景技術】
【０００２】
車両の窓ガラスを開閉するパワーウインドウ装置用のスイッチ装置が、例えば特許文献１に開示されている。
【０００３】
図１３は、車載用スイッチ１１１の外観斜視図である。図１４は、従来のスイッチユニット１２２の分解斜視図である。図１５は、車載用スイッチ１１１の要部拡大縦断面図である。車載用スイッチ１１１は、上下に対応する操作カバー１１２と、ベース１１３とを一体化して構成されている。操作カバー１１２は、上面に、自動車に装備される各所の窓と対応させて開閉操作するための第１〜第４のスイッチボタン１１４〜１１７と、その窓の開閉動作をロック、ロック解除するための第５スイッチボタン１１８とが装着されている。スイッチユニット１２２は、図１４に示すように、スイッチケース１２３と、可動接触子１２４ａ、１２４ｂと、スライダ１２５ａ、１２５ｂと、スライダ復帰バネ１２６ａ、１２６ｂと、板バネ１２７ａ、１２７ｂと、スイッチカバー１２８とから構成される。スイッチカバー１２８には、スライド軸１４０ａ、１４０ｂが突出可能なスライド孔１４４ａ、１４４ｂが設けられている。
【０００４】
図１５に示すように、該ボタンの下部に一体に垂設されたスライダ操作杆１２１が、スイッチボタン１１４〜１１８の軸支部を支点に左右に傾動し、この傾動作用によりスイッチユニット１２２のスライド軸１４０ａ、１４０ｂと対応してスイッチング操作される。なお、スライダ１２５ａ、１２５ｂは、通常、スライダ復帰バネ１２６ａ、１２６ｂで付勢されて、中立のオフ位置にあり、この状態からオン位置にスイッチング操作される。また、スライダ１２５ａ、１２５ｂの摺動操作後は、スライダ復帰バネ１２６ａ、１２６ｂの付勢力を受けて元の位置に自動復帰するため、極めてスイッチング操作が容易となる。
【０００５】
すなわち、スイッチボタン１１４〜１１８は、中立のオフ位置と左右のオン接点位置とのいずれかを選択することができ、左右のスイッチ素子が同時にオンすることがない。
【０００６】
このように、２組のスイッチ素子のいずれかを選択的にオンさせるスイッチ装置が、車両の窓ガラスを開閉する開閉操作するためのパワーウインドウ装置用のスイッチ装置として利用される。
【先行技術文献】
【特許文献】
【０００７】
【特許文献１】特開昭６３−２４４５３３号公報
【発明の概要】
【発明が解決しようとする課題】
【０００８】
しかしながら、スライダ１２５ａ、１２５ｂをオン位置へ移動させると、スライダ１２５ａ、１２５ｂ間に隙間ができ、そこから塵が入ってくるという問題があった。
【０００９】
本発明は、上述した課題を解決するもので、２組のスイッチ素子のいずれかを選択的にオンさせる動作時にも塵が入ってこないスイッチ装置を提供することを目的とする。
【課題を解決するための手段】
【００１０】
本発明のスイッチ装置は、側壁面に開口部を有するケースと、前記開口部から一部を外側へ突出させた状態で前記ケースに水平移動可能に収納された２個のスライダと、２個の前記スライダを前記ケースのほぼ中央の初期位置にそれぞれ付勢する付勢手段と、前記スライダが前記付勢手段に抗する方向へ移動した離間位置にあるときに駆動される２組のスイッチ素子と、からなるスイッチ装置であって、２個の前記スライダには、前記初期位置から前記離間位置までの全範囲において前記開口部を覆った状態で前記側壁面に沿って移動する第１遮蔽部材及び第２遮蔽部材が設けられ、前記第１遮蔽部材が第１オーバーラップ部を有し、前記第２遮蔽部材が第２オーバーラップ部を有し、前記第１オーバーラップ部及び前記第２オーバーラップ部は、前記初期位置において前記側壁面に対して垂直な方向に微小ギャップを持って互いに重なり合うことを特徴とする。
【００１１】
この構成によれば、初期位置において第１遮蔽部材及び第２遮蔽部材が重なり合うようにしたので、お互いの間に位置する遮蔽部材の長さを長くすることができる。これにより、スライダが離間位置でも確実に初期位置側の開口部がカバーされ、スイッチ装置内に塵が入ることをほとんど防止することができる。さらに離間位置までのストロークを大きくとることができ、確実にスイッチ素子を駆動できる。
【００１２】
また、本発明のスイッチ装置において、前記第１オーバーラップ部は、一方の面が前記側壁面に対して垂直な方向に前記側壁面と微小ギャップを持って重なるように配置されるとともに、他方の面が前記第２オーバーラップ部と対向し、前記第２オーバーラップ部には、前記第１オーバーラップ部の下端よりもさらに下方に突出した突出部が延設されており、前記突出部は、前記第１オーバーラップ部の前記下端の底面に沿って前記側壁面側に突出し、微小ギャップを介して前記側壁面と対向していることを特徴とする。
【００１３】
この構成によれば、遮蔽部材が２方向で重なり合うようにしたので、スライダが離間位置でも微小ギャップに沿ってスイッチ装置内に塵が入ることを、よりいっそう防止することができる。
【００１４】
また、本発明のスイッチ装置において、前記第１遮蔽部材及び前記第２遮蔽部材には、前記スライダに外部からの駆動力を伝達するための操作軸が一体に成形されていることを特徴とする。
【００１５】
この構成によれば、広い面積を有する遮蔽部材に操作軸を設けたので、操作軸の配置や大きさの自由度が増した。
【００１６】
また、本発明のスイッチ装置において、前記ケース及び前記開口部が上方に開放され、２個の前記スライダは、前記第１遮蔽部材及び前記第２遮蔽部材が前記側壁面の外方側から前記開口部を覆うように、前記ケース及び前記開口部に前記上方から挿入され、前記ケースと前記第１遮蔽部材と前記第２遮蔽部材との間隙、並びに、前記ケース及び前記開口部を、少なくとも前記上方から覆うようにカバー部材が設けられていることを特徴とする。
【００１７】
ケースおよび開口部の上方を開放したので、組立時は上から組み込むだけでよいので組立性がよいが、そのままでは塵が入ってしまう。この構成によれば、後からカバー部材をつけることで塵が入らないようにすることができる。
【発明の効果】
【００１８】
本発明によれば、初期位置において第１遮蔽部材及び第２遮蔽部材が重なり合うようにしたので、お互いの間に位置する遮蔽部材の長さを長くすることができる。これによりスライダが離間位置でも確実に初期位置側の開口部がカバーされ、スイッチ装置内に塵が入ることをほとんど防止することができる。したがって、２組のスイッチ素子のいずれかを選択的にオンさせる動作時にも塵が入ってこないスイッチ装置を提供することができる。
【図面の簡単な説明】
【００１９】
【図１】本発明の実施形態のスイッチ装置を示す斜視図である。
【図２】本発明の実施形態のスイッチ装置を示す分解斜視図である。
【図３】本発明の実施形態のスイッチ装置を示す平面図である。
【図４】本発明の実施形態のスイッチ装置を示す正面図である。
【図５】図３のＶ−Ｖ線で切断した断面図である。
【図６】図４のＶＩ−ＶＩ線で切断した断面図である。
【図７】図４のＶＩＩ−ＶＩＩ線で切断した断面図である。
【図８】スイッチ装置の２組のスイッチ素子の初期状態を示す説明図である。
【図９】スイッチ装置の第１スイッチ素子の離間位置を示す説明図である。
【図１０】スイッチ装置の第２スイッチ素子の離間位置を示す説明図である。
【図１１】スイッチ装置の第１スイッチ素子の離間位置におけるスライダを示す説明図である。
【図１２】スイッチ装置の第２スイッチ素子の離間位置におけるスライダを示す説明図である。
【図１３】従来の車載用スイッチの外観斜視図である。
【図１４】従来のスイッチユニットの分解斜視図である。
【図１５】図１０の車載用スイッチの要部拡大縦断面図である。
【発明を実施するための形態】
【００２０】
［第１実施形態］
以下、本発明の実施の形態について図面を用いて詳細に説明する。なお、分かりやすいように、図面は寸法を適宜変更している。
【００２１】
図１は、本発明の実施形態のスイッチ装置１を示す斜視図である。図２は、スイッチ装置１を示す分解斜視図である。図３は、スイッチ装置１を示す平面図である。図４は、スイッチ装置１を示す正面図である。図５は、図３のＶ−Ｖ線で切断した断面図である。図６は、図４のＶＩ−ＶＩ線で切断した断面図である。図７は、図４のＶＩＩ−ＶＩＩ線で切断した断面図である。図８は、スイッチ装置１の２組のスイッチ素子（第１スイッチ素子７１及び第２スイッチ素子７２）の初期状態を示す説明図である。図９は、スイッチ装置１の第１スイッチ素子７１の離間位置Ｐ３を示す説明図である。図１０は、スイッチ装置１の第２スイッチ素子７２の離間位置Ｐ４を示す説明図である。図１１は、スイッチ装置１の第１スイッチ素子７１の離間位置Ｐ３におけるスライダ１０を示す説明図である。図１２は、スイッチ装置１の第２スイッチ素子７２の離間位置Ｐ４におけるスライダ２０を示す説明図である。
【００２２】
本実施形態のスイッチ装置１は、図１〜図４に示すように、ケース６０と、カバー部材６８と、接続端子５０と、を備えている。また、スイッチ装置１は、図２に示すように、ケース６０の収容空間に配置されたスライダ１０及びスライダ２０と、スライダ１０に駆動される第１スイッチ素子７１と、スライダ２０に駆動される第２スイッチ素子７２と、を備えている。以下の説明においては、図１のＺ１側を上方、Ｚ２側を下方とする。なお、この表現に限定されることなく、スイッチ装置１の取り付け方向は制約されない。
【００２３】
ケース６０は合成樹脂を成形したものであり、導電性の金属からなる接続端子５０がインサート成形により一体に形成されている。ケース６０は上方が開放された箱状であり、その内部が収容空間を形成している。ケース６０の側壁面６５には、開口部６１、６２が設けられている。開口部６１、６２は上端が開放されている。接続端子５０は、図２に示すように、接続端子５１、５２、５３、５４、５５に分割されている。接続端子５１、５２、５３、５４、５５の一端側はケース６０の外部に露出しており、接続端子５１、５２、５３、５４、５５の他端側はケース６０に形成された収容空間に露出している。なお、接続端子５１、５２、５３、５４、５５は、インサート成形に限定されるものではなく、圧入によって一体化されていてもよい。
【００２４】
カバー部材６８は金属板からなり、ケース６０の上方（Ｚ１側）を覆っている。カバー部材６８は嵌合部６８ａがケース６０の突起部６０ａに係合して固定される。カバー部材６８で覆われたケース６０の内部に形成された収容空間には、接続端子５０の他端側を固定接点とする２組のスイッチ素子（第１スイッチ素子７１及び第２スイッチ素子７２）と、水平移動可能に収納された２個のスライダ（スライダ１０及びスライダ２０）と、が配置されている。
【００２５】
図５に示すように、第１スイッチ素子７１は、固定接点部５１ａ、５３ａ、５４ａと、可動接点部材３１と、を有している。一方、第２スイッチ素子７２は、固定接点部５２ａ、５３ａ、５５ａと、可動接点部材３２と、を有している。固定接点部５３ａは、第１スイッチ素子７１及び第２スイッチ素子７２に共通の構成部材である。図２に示すように、固定接点部５１ａ、５２ａ、５３ａ、５４ａ、５５ａは、接続端子５０の他端側である。
【００２６】
可動接点部材３１、３２は、導電性の金属からなり、それぞれＷ字状に折り曲げ加工されている。可動接点部材３１は、固定接点部５４ａを支点として固定接点部５１ａ又は固定接点部５３ａと接触するように回動可能となっている。一方、可動接点部材３２は、固定接点部５５ａを支点として固定接点部５２ａ又は固定接点部５３ａと接触するように回動可能となっている（図９、図１０参照）。
【００２７】
スライダ１０及びスライダ２０は、合成樹脂を成形した部材である。スライダ１０は、可動接点部材３１を回動させて接点間を接離させるための駆動部材であり、Ｘ１−Ｘ２方向に水平移動可能なようにケース６０の収容空間に収納されている。スライダ２０は、可動接点部材３２を回動させて接点間を接離させるための駆動部材であり、Ｘ１−Ｘ２方向に水平移動可能なようにケース６０の収容空間に収納されている。
【００２８】
以下、スライダ１０及びスライダ２０の構成について説明する。
【００２９】
スライダ１０は、第１遮蔽部材１１、第１スライド部材１３、第１操作軸１４、及び摺動部材１５を有している。スライダ１０は、第１スライド部材１３がケース６０の収容空間に配置され、第１遮蔽部材１１がケース６０の開口部６１から突出して側壁面６５の外方側から開口部６１を覆うように配置されている。第１遮蔽部材１１は、第１オーバーラップ部１２を有している。さらに、第１遮蔽部材１１には、スライダ１０に外部からの駆動力を伝達するための第１操作軸１４が一体に成形されている。第１遮蔽部材１１は広い面積を有するので、第１操作軸１４の配置や大きさには制約が少ない。なお、第１遮蔽部材１１と第１スライド部材１３と第１操作軸１４とは、個別に成形されてから嵌合によって一体化されるようにしてもよい。また、摺動部材１５が第１スライド部材１３に設けられた貫通孔に挿入されている。
【００３０】
スライダ２０は、第２遮蔽部材２１、第２スライド部材２３、第２操作軸２４、及び摺動部材２５を有している。スライダ２０は、第２スライド部材２３がケース６０の収容空間に配置され、第２遮蔽部材２１がケース６０の開口部６２から突出して側壁面６５の外方側から開口部６２を覆うように配置されている。第２遮蔽部材２１は、第２オーバーラップ部２２を有している。さらに、第２遮蔽部材２１には、スライダ２０に外部からの駆動力を伝達するための第２操作軸２４が一体に成形されている。第２遮蔽部材２１は広い面積を有するので、第２操作軸２４の配置や大きさには制約が少ない。なお、第２遮蔽部材２１と第２スライド部材２３と第２操作軸２４とは、個別に成形されてから嵌合によって一体化されるようにしてもよい。また、摺動部材２５が、第２スライド部材２３に設けられた貫通孔に挿入されている。
【００３１】
図６に示すように、第１オーバーラップ部１２は、一方の面１２ａが側壁面６５に対して垂直な方向に側壁面６５と微小ギャップを持って重なるように配置されるとともに、他方の面１２ｂが第２オーバーラップ部２２の面２２ａと対向する。一方、第２遮蔽部材２１の第２オーバーラップ部２２には、第１オーバーラップ部１２の下端１２ｃよりもさらに下方に突出した突出部２７が延設されている。突出部２７は、図６に示すように、第１オーバーラップ部１２の下端１２ｃの底面に沿って側壁面６５側に突出し、微小ギャップを介して側壁面６５と対向している。
【００３２】
さらに、カバー部材６８が、ケース６０と第１遮蔽部材１１と第２遮蔽部材２１との間隙、並びに、ケース６０及び開口部６１、６２を覆うように設けられている。これにより、第１オーバーラップ部１２の上方（Ｚ１側）をカバー部材６８が覆っている。
【００３３】
また、ケース６０に形成された収容空間には、スライダ１０、スライダ２０をＸ１側又はＸ２側に向けて付勢する付勢手段として、板ばね４０が配置されている。板ばね４０は、図５に示すように、スライダ１０の摺動部材１５及びスライダ２０の摺動部材２５と当接するように配置されている。板ばね４０は、スライダ１０及びスライダ２０を、ケース６０のほぼ中央の初期位置Ｐ１、Ｐ２に付勢している（図８参照）。
【００３４】
次に、本実施形態のスイッチ装置１の動作について説明する。
【００３５】
第１操作軸１４が駆動される状態を図８及び図９を用いて説明する。図示しない基板に接続端子５０が接続されて固定される。そして、図示しない操作部材が第１操作軸１４と第２操作軸２４との間に挿入され、この操作部材を介してＸ１−Ｘ２方向に第１操作軸１４又は第２操作軸２４が駆動される。
【００３６】
摺動部材１５は、可動接点部材３１にも当接しており、初期位置Ｐ１では、可動接点部材３１が初期状態に保持される。中央の固定接点部５３ａは、初期位置Ｐ１でオン状態であり、離間位置Ｐ３でオフ状態となるノーマルクローズ端子である。一方、固定接点部５１ａは、初期位置Ｐ１でオフ状態であり、離間位置Ｐ３でオン状態となるノーマルオープン端子である。図９に示すように、外部からの駆動力によって第１操作軸１４が移動すると、板ばね４０の付勢力に抗して摺動部材１５が移動し、離間位置Ｐ３で可動接点部材３１と固定接点部５１ａとが接する。これによって、第１スイッチ素子７１が駆動される。
【００３７】
同様に、第２操作軸２４が駆動される状態を図８及び図１０を用いて説明する。
【００３８】
摺動部材２５は、可動接点部材３２にも当接しており、初期位置Ｐ２では、可動接点部材３２が初期状態に保持される。中央の固定接点部５３ａは、初期位置Ｐ２でオン状態であり、離間位置Ｐ４でオフ状態となるノーマルクローズ端子である。一方、固定接点部５２ａは、初期位置Ｐ１でオフ状態であり、離間位置Ｐ４でオン状態となるノーマルオープン端子である。図１０に示すように、外部からの駆動力によって第２操作軸２４が移動すると、板ばね４０の付勢力に抗して摺動部材２５が移動し、離間位置Ｐ４で可動接点部材３２と固定接点部５２ａとが接する。これによって、第２スイッチ素子７２が駆動される。
【００３９】
車両の窓ガラスを開閉する開閉操作するためのパワーウインドウ装置用のスイッチ装置として利用する場合、第１スイッチ素子７１、第２スイッチ素子７２に接続された電気配線に窓ガラスを開閉するためのモータが接続される。モータを回転させるための端子は一方が電源側、他方がグランド側で、逆に接続すれば回転方向が切り替わるように構成される。第１スイッチ素子７１、第２スイッチ素子７２のノーマルオープン端子のいずれか一方が選択的に駆動（オン）されたときに、他方がノーマルクローズであれば、モータの端子の電源側、グランド側の接続を切り替えることができ、モータを正回転又は逆回転させることが可能である。
【００４０】
次に、本実施形態のスイッチ装置１内に塵が入ることを防止することができる構成について説明する。
【００４１】
初期位置Ｐ１、Ｐ２において、スライダ１０及びスライダ２０は、図７に示すように、第１遮蔽部材１１の第１オーバーラップ部１２と、第２遮蔽部材２１の第２オーバーラップ部２２と、が側壁面６５に対して垂直な方向に微小ギャップを持って互いに重なり合う。この構成によれば、初期位置Ｐ１、Ｐ２において第１遮蔽部材１１及び第２遮蔽部材２１が重なり合うようにしたので、お互いの間に位置する遮蔽部材の長さを長くすることができる。
【００４２】
図６に示すように、第１オーバーラップ部１２は、一方の面１２ａが側壁面６５に対して垂直な方向に側壁面６５と微小ギャップを持って重なるように配置されるとともに、他方の面１２ｂが第２オーバーラップ部２２の面２２ａと対向している。また、第２オーバーラップ部２２には、図６に示すように、第１オーバーラップ部１２の下端１２ｃよりもさらに下方に突出した突出部２７が延設されている。突出部２７は、第１オーバーラップ部１２の下端１２ｃの底面に沿って側壁面６５側に突出し、微小ギャップを介して側壁面６５と対向している。これにより、第１遮蔽部材１１と第２遮蔽部材２１とがＹ１−Ｙ２方向及びＺ１−Ｚ２方向の２方向で重なり合う。
【００４３】
図１１に示すように第１操作軸１４が駆動されると、摺動部材１５が離間位置Ｐ３に移動するが、離間位置Ｐ３でも第１オーバーラップ部１２と第２オーバーラップ部２２の一部が微小ギャップを介して対向している。また、第２オーバーラップ部２２の突出部２７によって、図６のＺ２側に隙間ができることが防止されている。
【００４４】
図１２に示すように第２操作軸２４が駆動されると、摺動部材２５が離間位置Ｐ４に移動するが、離間位置Ｐ４でも第１オーバーラップ部１２と第２オーバーラップ部２２の一部が微小ギャップを介して対向している。また、この場合でも、第２オーバーラップ部２２の突出部２７によって、Ｚ２側に隙間ができることが防止されている。
【００４５】
これにより、スライダ１０、スライダ２０が初期位置Ｐ１、Ｐ２側でも、又は離間位置Ｐ３、Ｐ４側でも、開口部６１、６２がカバーされ、スイッチ装置１内に塵が入ることをほとんど防止することができる。さらに、突出部２７を設けることによって、遮蔽部材がＹ１−Ｙ２方向及びＺ１−Ｚ２方向の２方向で重なり合うようにしたので、スライダ１０、スライダ２０が離間位置Ｐ３、Ｐ４でも微小ギャップに沿ってスイッチ装置１内に塵が入ることを、よりいっそう防止することができる。
【００４６】
さらに、本実施形態では、ケース６０及び開口部６１、６２が上方に開放され、２個のスライダ１０、スライダ２０を、ケース６０の収容空間及び開口部６１、６２に上方（Ｚ１側）から挿入することができる。そして、図６に示すように、カバー部材６８が、ケース６０と第１遮蔽部材１１と第２遮蔽部材２１との間隙、並びに、ケース６０及び開口部６１、６２を覆うように設けられている。
【００４７】
ケース６０および開口部６１、６２の上方を開放したので、組立時は上から組み込むだけでよいので組立性がよいが、そのままでは塵が入ってしまう。後からカバー部材６８をつけることで上方がほとんど塞がれて、スイッチ装置１内に塵が入らないようにすることができる。
【００４８】
以下、本実施形態としたことによる効果について説明する。
【００４９】
本実施形態のスイッチ装置１は、側壁面６５に開口部６１、６２を有するケース６０と、開口部６１、６２から一部を外側へ突出させた状態でケース６０に水平移動可能に収納された２個のスライダ（スライダ１０、スライダ２０）と、を備えている。そして、スライダ１０及びスライダ２０をケース６０のほぼ中央の初期位置Ｐ１、Ｐ２にそれぞれ付勢する板ばね４０と、スライダ１０及びスライダ２０が板ばね４０に抗する方向へ移動した離間位置Ｐ３、Ｐ４にあるときに駆動される２組の第１スイッチ素子７１、第２スイッチ素子７２と、を備えている。スライダ１０及びスライダ２０には、初期位置Ｐ１、Ｐ２から離間位置Ｐ３、Ｐ４までの全範囲において開口部６１、６２を覆った状態で側壁面６５に沿って移動する第１遮蔽部材１１及び第２遮蔽部材２１が設けられ、第１遮蔽部材１１が第１オーバーラップ部１２を有し、第２遮蔽部材２１が第２オーバーラップ部２２を有している。第１オーバーラップ部１２及び第２オーバーラップ部２２は、初期位置Ｐ１において側壁面６５に対して垂直な方向に微小ギャップを持って互いに重なり合っている。
【００５０】
この構成によれば、初期位置Ｐ１、Ｐ２において第１遮蔽部材１１及び第２遮蔽部材２１が重なり合うようにしたので、お互いの間に位置する遮蔽部材の長さを長くすることができる。これにより、スライダ１０、スライダ２０が離間位置Ｐ３、Ｐ４でも確実に初期位置Ｐ１、Ｐ２側の開口部６１、６２がカバーされ、スイッチ装置１内に塵が入ることをほとんど防止することができる。さらに離間位置Ｐ３、Ｐ４までのストロークを大きくとることができ、確実に第１スイッチ素子７１、第２スイッチ素子７２を駆動できる。
【００５１】
また、本実施形態のスイッチ装置１において、第１オーバーラップ部１２は、一方の面１２ａが側壁面６５に対して垂直な方向に側壁面６５と微小ギャップを持って重なるように配置されるとともに、他方の面１２ｂが第２オーバーラップ部２２と対向している。第２オーバーラップ部２２には、第１オーバーラップ部１２の下端１２ｃよりもさらに下方に突出した突出部２７が延設されており、突出部２７は、第１オーバーラップ部１２の下端１２ｃの底面に沿って側壁面６５側に突出し、微小ギャップを介して側壁面６５と対向している。
【００５２】
この構成によれば、第１遮蔽部材１１及び第２遮蔽部材２１が２方向で重なり合うようにしたので、スライダ１０、スライダ２０が離間位置Ｐ３、Ｐ４でも微小ギャップに沿ってスイッチ装置１内に塵が入ることを、よりいっそう防止することができる。
【００５３】
また、本実施形態のスイッチ装置１において、第１遮蔽部材１１には、スライダ１０に外部からの駆動力を伝達するための第１操作軸１４が一体に成形されている。広い面積を有する第１遮蔽部材１１に第１操作軸１４を設けたので、第１操作軸１４の配置や大きさの自由度が増した。
【００５４】
同様に、第２遮蔽部材２１には、スライダ２０に外部からの駆動力を伝達するための第２操作軸２４が一体に成形されている。広い面積を有する第２遮蔽部材２１に第２操作軸２４を設けたので、第２操作軸２４の配置や大きさの自由度が増した。
【００５５】
また、本実施形態のスイッチ装置１において、ケース６０及び開口部６１、６２が上方に開放されている。スライダ１０及びスライダ２０は、第１遮蔽部材１１及び第２遮蔽部材２１が側壁面６５の外方側から開口部６１、６２を覆うように、ケース６０及び開口部６１、６２に上方から挿入されている。ケース６０と第１遮蔽部材１１と第２遮蔽部材２１との間隙、並びに、ケース６０及び開口部６１、６２を、少なくとも上方から覆うようにカバー部材６８が設けられている。
【００５６】
ケース６０および開口部６１、６２の上方を開放したので、組立時は上から組み込むだけでよいので組立性がよいが、そのままでは塵が入ってしまう。この構成によれば、後からカバー部材６８をつけることで、スイッチ装置１内に塵が入らないようにすることができる。
【００５７】
以上のように、本発明の実施形態のスイッチ装置１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００５８】
（１）本実施形態において、側壁面６５の開口部６１、６２を覆う第１遮蔽部材１１及び第２遮蔽部材２１と、接続端子５０の一端側とが、Ｙ１側にあるとしたが、これに限定されるものではない。例えば、接続端子５０の一端側がケース６０のＹ２側に露出するように変更してもよい。また、図示しない基板がＺ２側でなく、例えばＹ２側で接続されるように構成されていてもよい。
【００５９】
（２）本実施形態において、付勢手段として板ばね４０を用いているが、第１スイッチ素子７１側と第２スイッチ素子７２側とに分割された板ばねであってもよい。また、板ばね４０の向きを上下逆にしてもよい。また、板ばねの代わりにコイルばねを用いてもよい。
【００６０】
（３）可動接点部材３１、３２は、本実施形態の形状に限定されるものではなく、例えば、摺動型の接点構造としてもよい。
【符号の説明】
【００６１】
１      スイッチ装置
１０、２０  スライダ
１１    第１遮蔽部材
１２    第１オーバーラップ部
１２ａ  一方の面
１２ｂ  他方の面
１２ｃ  下端
１３    第１スライド部材
１４    第１操作軸
１５、２５  摺動部材
２１    第２遮蔽部材
２２    第２オーバーラップ部
２２ａ  面
２３    第２スライド部材
２４    第２操作軸
２７    突出部
３１、３２  可動接点部材
５０、５１、５２、５３、５４、５５  接続端子
５１ａ、５２ａ、５３ａ、５４ａ、５５ａ  固定接点部
６０    ケース
６０ａ  突起部
６１、６２  開口部
６５    側壁面
６８    カバー部材
６８ａ  嵌合部
７１    第１スイッチ素子
７２    第２スイッチ素子
【図１】
2015173012.tif 000003
【図２】
2015173012.tif 000004
【図３】
2015173012.tif 000005
【図４】
2015173012.tif 000006
【図５】
2015173012.tif 000007
【図６】
2015173012.tif 000008
【図７】
2015173012.tif 000009
【図８】
2015173012.tif 000010
【図９】
2015173012.tif 000011
【図１０】
2015173012.tif 000012
【図１１】
2015173012.tif 000013
【図１２】
2015173012.tif 000014
【図１３】
2015173012.tif 000015
【図１４】
2015173012.tif 000016
【図１５】
2015173012.tif 000017